(57)【特許請求の範囲】
【請求項１】
再密閉可能の所定のプロファイルを有するプラスティックジッパーをまたいだスライダであって、前記ジッパーは第１及び第２の相互係止のプロファイルを有し、かつ該またがるスライダはジッパーに沿って移動することにより前記相互係止のプロファイルを閉じ及び開口する前記スライダであって、
横断方向の支持部材と、
前記支持部材の両側から下方へ伸びる一対の側壁であって、該側壁は、互いに向かって内方へ伸びる第１及び第２の肩部を形成し、該第１及び第２の肩部は前記各第１及び第２の相互係止プロファイルの下方の再密閉可能のバッグの個々の隣接した部分に対面して接触する第１及び第２の最内側端部を含み、前記第１の最内側端部は前記再密閉可能のバッグの前記個々の隣接した部分の方へ、該第１の最内側端部の残りの部分よりも更に内方へかつ前記両側壁間に配置された長手方向中間面を越えて突き出す第１の突出部分を形成する、前記一対の側壁とを具備することを特徴とする前記スライダ。
【請求項２】
請求項１記載のスライダにおいて、
前記第１の最内側端部は第１の非平面セクションを含み、該第１の非平面セクションは前記第１の突出部分と第１の凹部とを含み、該第１の凹部は、前記再密閉可能のバッグの前記個々の隣接した部分から離れる方へ、前記第１の最内側端部の残りの部分よりも更に突き出すことを特徴とする前記スライダ。
【請求項３】
請求項１記載のスライダにおいて、
前記第２の最内側端部は、前記再密閉可能のバッグの前記個々の隣接した部分の方へ、該第２の最内側端部の残りの部分よりも更に内方へかつ前記長手方向中間面を越えて突き出す第２の突出部分を形成することを特徴とする前記スライダ。
【請求項４】
請求項３記載のスライダにおいて、
前記第２の最内側端部は第２の非平面セクションを含み、該第２の非平面セクションは前記第２の突出部分と第２の凹部とを含み、該第２の凹部は、前記再密閉可能のバッグの前記個々の隣接した部分から離れる方へ、前記第２の最内側端部の残りの部分よりも更に突き出すことを特徴とする前記スライダ。
【請求項５】
請求項１記載のスライダであって、
前記各側壁は、該側壁を強化し側壁の前記支持部材に対する可撓性を最小化するための複数の隣接する垂直強化リブをそれぞれ含む、
ことを特徴とするスライダ。
【請求項６】
請求項５記載のスライダにおいて、
前記各側壁は、それぞれ、脚部及び翼部を含み、
前記翼部は、前記横断方向の支持部材にヒンジ結合されていて、前記スライダが前記ジッパー上に組み込まれる際に前記脚部にラッチ留めされ、
前記脚部は、複数の隣接する垂直強化リブを含む、
ことを特徴とするスライダ。
【請求項７】
第１及び第２の相互係止プロファイルを有する開閉自在のプラスチックジッパーバッグをまたぎ、前記ジッパーに沿って移動することによって相互係止プロファイルを開閉するスライダであって、
横断方向の支持部材と、
前記支持部材の対向両側から下方に延在する一対の側壁とを、備え、
前記側壁は、互いに向かって内方に延在する第１及び第２の肩部をそれぞれ形成し、
前記第１及び第２の肩部は、前記第１及び第２の相互係止プロファイル下方の前記開閉自在バッグの各隣接部分に面し且つ接触する第１及び第２の最内方端部をそれぞれ含み、
該第１の最内方端部は第１の突起部及び第１の凹部を構成し、該第１の突起部は前記第１の最内方端部の他の部分よりも前記開閉自在なバッグの各隣接部分に向けて更に内方に突出し、前記第１の凹部は前記第１の最内方端部の前記他の部分よりも前記開閉自在なバッグの各隣接部分から更に離れるように突出し、前記第２の最内方端部は、第２の突起部及び第２の凹部を有する第２の非平面セクションを含み、前記第２の突起部は前記第２の最内方端部の他の部分よりも前記開閉自在なバッグの前記各隣接部分に向けて更に内方に突出し、前記第２の凹部は前記第２の最内方端部の前記他の部分よりも前記開閉自在のバッグの各隣接部分から更に離れるように突出し、前記第１の非平面セクションは、前記第１の突起部が前記第２の凹部と向き合うと共に前記第１の凹部が第２の突起部と向き合うように、前記第２の非平面セクションと相互補完関係になされた、
ことを特徴とするスライダ。
【請求項８】
第１及び第２の相互係止プロファイルを有する開閉自在のプラスチックジッパーバッグをまたぎ、前記ジッパーに沿って移動することによって相互係止プロファイルを開閉するスライダであって、
横断方向の支持部材と、
前記支持部材の両側から下方に延在する一対の側壁とを、備え、
前記側壁は、互いに向かって内方に延在する第１及び第２の肩部をそれぞれ形成し、
前記第１及び第２の肩部は、前記第１及び第２の相互係止プロファイル下方の前記開閉自在バッグの各隣接部分に面し且つ接触する第１及び第２の最内方端部をそれぞれ含み、
前記第１及び第２の最内方端部は、両者の間にＳ字形の曲がりくねった経路を規定し、
前記開閉自在バッグの隣接部分は、前記Ｓ字形の曲がりくねった経路を貫通しており、
前記第１の最内方端部は第１の突起部を構成し、該第１の突起部は前記第１の最内方端部の他の部分よりも前記開閉自在なバッグの前記各隣接部分に向けて更に内方に突出せしめてなること、
を特徴とするスライダ。
【請求項９】
第１及び第２の相互係止プロファイルを有する開閉自在のプラスチックジッパーバッグをまたぎ、ジッパーに沿って移動することによって相互係止プロファイルを開閉するスライダであって、
横断方向の支持部材と、
前記支持部材の両側から下方に延在する一対の側壁とを、備え、
前記側壁は、互いに向かって内方に延在する第１及び第２の肩部をそれぞれ形成し、
前記第１及び第２の肩部は、前記第１及び第２の相互係止プロファイル下方の前記開閉自在バッグの各隣接部分に面し且つ接触する第１及び第２の最内方端部をそれぞれ含み、
前記第１及び第２の最内方端部は、両者の間にＳ字形の曲がりくねった経路を規定し、
前記開閉自在のプラスチックジッパーバッグの隣接部分は、前記曲がりくねった経路を貫通する、
ことを特徴とするスライダ。
【請求項１０】
請求項９記載のスライダであって、
前記曲がりくねった経路は、前記最内方端部の少なくとも一方によって形成された凸部によって作り出される、
ことを特徴とするスライダ。
【請求項１１】
請求項９記載のスライダであって、
前記曲がりくねった経路は、前記最内方端部の少なくとも一方によって形成された凸部及び凹部によって作り出される、
ことを特徴とするスライダ。
【請求項１２】
請求項９記載のスライダであって、
前記曲がりくねった経路は、両前記最内方端部によって形成された凸部によって作り出される、
ことを特徴とするスライダ。
【請求項１３】
請求項９記載のスライダであって、
前記曲がりくねった経路は、両前記最内方端部によって形成された凸部及び凹部によって作り出される、
ことを特徴とするスライダ。
【請求項１４】
請求項９記載のスライダであって、
前記側壁は、該側壁を強化し該側壁の前記支持部材に対する可撓性を最小化するための複数の隣接する垂直強化リブをそれぞれ含む、
ことを特徴とするスライダ。
【請求項１５】
請求項１４記載のスライダであって、
前記側壁は、脚部及び翼部をそれぞれ含み、
前記翼部は、前記横断方向の支持部材にヒンジ結合されていて、前記スライダが前記ジッパー上に組み込まれる際に前記脚部にラッチ留めされ、
前記脚部は、複数の隣接する垂直強化リブを含む、
ことを特徴とするスライダ。
【請求項１６】
開閉自在なバッグに取り付けられると共に、第１及び第２の係合可能なプロファイルを備える所定形状のプラスチック製ジッパーに跨着可能で、該ジッパーに沿って移動することによって前記係合可能なプロファイルを開け閉めするスライダであって、
横断方向に延在する支持部材と、
前記支持部材の両側から下方に延伸する一対の側壁とを備え、該側壁の各々は、近接するように内側に向けて延在する第１及び第２の肩部を有し、前記第１及び第２の肩部は第１及び第２の最内方端部を夫々有し、該第１の最内方端部と該第２の最内方端部は対面し且つ前記第１及び第２の係合可能なプロファイルの下方において前記開閉自在なバッグの近接する部分に夫々当接し、前記第１の最内方端部はその長さの少なくとも一部である突起部を有し、前記第２の最内方端部はその長さの少なくとも一部である凹部を有し、前記突起部は前記凹部に対置することを特徴とするスライダ。
【発明の詳細な説明】
【０００１】
【発明の属する技術分野】
本発明は、概して再密閉可能なプラスティック製バッグのジッパーを開閉するためのプラスティック製スライダに係り、より詳しくは、該スライダが取り付けられたところのジッパーからそれを引き離し即ちてこ作用で解放することが困難な高強度スライダに関する。
【０００２】
【従来技術】
上記バッグのジッパーを操作するためのスライダを備えた再密閉可能なプラスティック製バッグは、様々な包装の応用分野で一般に使用されている。ジッパーは、典型的に、夫々の相互係止プロファイルを形成する雄型トラック及び雌型トラックを備えている。熱可塑性材料のバッグの製造において、雄型トラック及び雌型トラックは、バッグの口に沿って延び、バッグの各々対向する可撓性パネルに任意の適切な態様で固定されるようになっている。雄型トラック及び雌型トラックは、これらの可撓性パネルの一体成形の縁部であってもよく、或いは、別々に押し出し成形され、その後にバッグの口に沿って可撓性パネルに取り付けられるようにしてもよい。スライダは、ジッパーに取り付けられ、ジッパーを開閉するために使用される。スライダが閉位置にある場合、これらのプロファイルは互いに相互係止される。スライダを開位置に動かすと、これに応答してプロファイルは互いから解放される。
【０００３】
再密閉可能なバッグのジッパーを操作するためのスライダの一例が図１及び図２に表されている。このスライダ１０は、横断支持部材１２と、一対のレッグ１４ａ及び１４ｂと、一対のウィング１６ａ及び１６ｂと、を備える。一対のレッグ１４ａ及び１４ｂは、支持部材１２の両側から下方に延びる。一対のウィング１６ａ及び１６ｂは、支持部材１２の両側に蝶番式に接続され、スライダ１０が図１に示すようにジッパーに取り付けられたとき、ウィング１６ａ及び１６ｂは、支持部材１２の両側から下方に延びる。スライダがジッパーに取り付けられた後、スライダ１０をジッパーに固定するため、ウィング１６ａ及び１６ｂは、各々の肩部１８ａ及び１８ｂ（図２を見よ）を形成する。肩部１８ａ及び１８ｂは、互いに向かって内側に延び、各々のプロファイル２０ａ及び２０ｂの下方でバッグの夫々の隣接する部分と接触し、これによってスライダをジッパー上に保持する。
【０００４】
図２は、ジッパーに取り付けられたスライダ１０の底面図である。内側に延びる肩部１８ａ及び１８ｂの間の隙間Ｄ1が相互係止プロファイル２０ａ及び２０ｂの最外部の間の間隔Ｄ2よりも小さくなっていることを理解することができる。その結果、肩部１８ａ及び１８ｂは、スライダ１０をジッパーとの取り付け関係に効果的に維持する。取り付けられたスライダ１０をジッパーから引き離すためには極めて大きな力が必要となる。しかし、そのような力は、例えば、バッグの内容物が非常に重く、且つ、使用者がこのバッグをスライダのみを使ってバッグを持ち上げようとする場合、発生し得る。本発明は、スライダをジッパーから引き離すことを更に困難にする。
【０００５】
【課題を解決するための手段】
本発明の目的は、繰り返し閉じることのできるバッグのための、強度の高いプラスチック製のスライダにして、いったんジッパーに装架されると該ジッパーから分離すなわち外れにくいスライダを提供することにある。
【０００６】
本発明のこの目的および他の目的は、スライダにして、より効果的に該スライダをジッパー上に保持するための特別設計とされた肩部を備えるスライダを提供することにより、達成される。かかるスライダは、横方向の支持部材と、該支持部材の両側から下方に延びている一対の側壁とを含んでいる。該側壁は、それぞれ、互いに向かって内方へ延びる第１および第２の肩部を形成している。第１および第２の肩部は、それぞれ第１および第２の最内端を含んでいる。該第１および第２の最内端は、それぞれの相互係止プロファイルの下方にあるバッグのそれぞれ隣接する部分に対面し且つこれと接触する。
【０００７】
第１の肩部の第１の最内端は、第１の突出部分および第１の凹所部分を有する第１の非平坦部を含んでいる。第１の突出部分は、第１の肩部の第１の最内端の残りの部分よりも、それぞれの隣接するバッグ部分に向かってさらに内方へと突き出ている。同様にして、第２の肩部の第２の最内端は、望ましくは、第２の突出部分および第２の凹所部分を有する第２の非平坦部を含むものとする。第２の突出部分は、第２の肩部の第２の最内端の残りの部分よりも、それぞれの隣接するバッグ部分に向かってさらに内方へと突き出ている。第１の非平坦部は、望ましくは、第２の非平坦部と補完的関係にあるものとし、その態様は、第１の突出部分が第２の凹所部分に対向し、且つ、第１の凹所部分が第２の突出部分に対向するというものである。第１および第２の非平坦部は、スライダをジッパーへと保持する力を効果的に強め、それによって、スライダがジッパーから一層外れにくくなっている。
【０００８】
本発明の他の目的および利点は、後述する詳細な説明を読み且つ図面を参照することにより、明らかとなろう。
【０００９】
本発明は種々の変形例や代替例を含むものであるが、特別な実施例を例示として図面に表し、これをまた詳細に説明するつもりである。しかしながら、開示された特別な形態にのみ本発明を限定する意図はなく、むしろ本発明は請求の範囲に記載された発明の範囲および発明の精神に包含される限りにおいて、すべての実施例、均等物および代替例を含むものである。
【００１０】
【発明の実施の形態】
図を参照する。図３は、繰り返し閉じることのできるプラスチック製のバッグ３４のジッパー３２に対して、折り畳まれて装架される前のプラスチック製スライダ３０を示しているが、一方、図４は、折り畳まれてジッパー３２に装架された後のスライダ３０を示している。バッグ３４は、互いに対向する第１および第２のパネル３４ａ、３４ｂを含んでいる。これら第１および第２のパネル３４ａ、３４ｂは、３つの側部（図示せず）に沿って互いに固定的に連結されており、それによって、バッグの口の部分を通して近づくことのできる容器空間を画成している。
【００１１】
図３、図４及び図６において、ジッパー３２はバッグ３４の口に沿って伸び且つ雌トラック３６ａ-ｂ及び雄トラック３８ａ-ｂを備える。雌トラック３６ａ-ｂは、雌プロファイル３６ａ及びその雌プロファイル３６ａから下方に伸びる第１の垂下するフィン又はフランジ３６ｂを備えている。同様に、雄トラック３８ａ-ｂは雄プロファイル３８ａ及びその雄プロファイル３８ａから下方に伸びる第２の垂下するフィン又はフランジ３８ｂを備えている。もしジッパー３２がバッグ３４のパネル３４ａ及び３４ｂと別個に形成されているなら、第１及び第２のフィン３６ｂ及び３８ｂは、それぞれの第１及び第２のパネル３４ａ及び３４ｂの内面に熱溶着される。代わりに、ジッパーは、第１のフィン３６ｂが第１のパネル３４ａと一体的に形成されかつ第２のフィン３８ｂが第２のパネル３４ｂと一体的に形成されるように、パネル３４ａ及び３４ｂと一体的に形成されてもよい。
【００１２】
プラスチックバッグ３４のジッパーの開閉を補助するために、スライダ３０は閉じ位置と開き位置との間で移動するように、ジッパー３２に滑り可能に取り付けられている。図３はジッパー３２に取り付けられる前のスライダ３０を示し、図４はジッパーに取り付けられた後のスライダ３０を示す。スライダ３０は図４に示される組立位置において、ジッパー３２の雌及び雌プロファイル３６ａ及び３８ａを係合し或いは非係合にするために使用される。スライダ３０は開き端及び閉じ端を有している。スライダ３０は開き端において広く、雌及び雄プロファイル３６ａ及び３８ａが分離するのを許容する。スライダ３０は閉じ端において十分に狭く、スライダ３０がジッパー閉じ方向に動かされたとき、雌及び雄プロファイル３６ａ及び３８ａを相互係止関係に押圧する。
【００１３】
スライダ３０は、ポリカーボネート、ポリエステル、ナイロン、ポリプロピレン、ポリスチレン、デルリン（Ｄｅｌｒｉｎ）又はＡＢＳのような成形プラスチック単一片でつくられるのが好ましい。組み立てられたスライダ３０は、全体として、逆転したＵ形部材の形状であり、横方向の支持部材４０及び支持部材４０の両側から下方に伸びる一対の側壁４２及び４４を備えている。分離フィンガ４５は横方向支持部材４０から下方に伸びかつ、スライダ３０がジッパー３２に取り付けられたとき、分離フィンガ４５はスライダ３０がジッパー開き方向に移動されたとき雌及び雄プロファイル３６ａ及び３８ａを非係合にする。スライダ３０の側壁４２及び４４は、支持部材４０の両側から下方に伸びるそれぞれの脚部４６及び４８を備えている。側壁４２及び４４は、支持部材４０の両側に蝶番接続されたウイング５０及び５２を備えている。スライダ３０をジッパー３２に取り付ける前に、ウイング５０及び５２は図３に示される開き位置にある。
【００１４】
スライダ３０をジッパー３２に取り付けるために、スライダ３０は、分離フィンガ４５が雌及び雄プロファイル３６ａ及び３８ａの間に位置決めされかつ脚部４６及び４８がジッパー３２の両側に位置決めされて、ジッパーの上に置かれる。このように、ジッパートラック３６ａ-ｂは、分離フィンガ４５とスライダ脚部４６との間に配置され、一方、ジッパートラック３８ａ-ｂは、分離フィンガ４５とスライダ脚部４８との間に配置される。スライダ３０がこのように位置決めされることによって、スライダウイング５０及び５２は、スライダウイング５０及び５２を横方向支持部材４０の両側に接続している「生き」蝶番の回りで下方に回転される。ウイング５０及び５２は、ウイング５０及び５２が下方に折り畳まれたとき、それぞれの脚部４６及び４８を受ける中央開口を形成する。
【００１５】
ウイング５０及び５２は、圧縮形ラッチによって図４に示される下方位置に固定される。詳細には、図６に最も良く示されるように、ウイング５０及び５２はそれぞれの可撓性のタングラッチ５４及び５６を形成し、そのタングラッチはそれぞれの脚部４６及び４８の最下端と係合してウイング５０及び５２を下方位置に保持する。ウイング５０及び５２及び圧縮形ラッチの蝶番構造に関するさらなる詳細は米国特許第５，４４８，８０８から得られ、その米国特許は全体としてこの明細書に組み入れられる。圧縮形ラッチを有するスライダ３０の代わりとしてスライダは蝶番のない成形プラスチックの一体部品として作られ得る。
【００１６】
図６及び７を参照すると、ジッパー３２上に取り付けられたスライダ３０を備える、横断支持部材４０が、ジッパー・プロファイル３６ａ及び３８ａの上縁部に沿って移動するように構成されている。スライダ３０をジッパー３２上に保持して、該スライダ３０がジッパー３２から離脱すなわち抜け出るのを阻止するために、ウイング５０及び５２は第１、第２肩部５８，６０をそれぞれ形成する。肩部５８，６０は、互いに内方に延び、それぞれジッパー・プロファイル３６ａ、３８ａの下に位置している。肩部５８，６０はそれぞれ内端部６２，６４を含み、これら内端部６２，６４は相互係止プロファイル３６ａ、３８ａの下方のバック・パネル３４ａ、３４ｂ（又はジッパー・フィン３６ａ、３８ｂ）とそれぞれ向き合って接触する。
【００１７】
図７を参照すると、肩部５８の内端部６２は、突き出た凸部６２ａ及び引っ込んだ凹部６２ｂを備えた、非平面部分すなわち波状部分を含む。凸部６２ａは、肩部５８における内端部６２の残部６２ｃよりも隣接するジッパー・フィン３６ｂに向かって更に内方に突出する。凹部６２ｂは、肩部５８における内端部６２の残部６２ｃよりも更にジッパー・フィン３６ｂから離れるように突出する。同様に、肩部６０の内端部６４は、突き出た凸部６４ａ及び引っ込んだ凹部６４ｂを備えた、非平面部分すなわち波状部分を含む。凸部６４ａは、肩部６０における内端部６４の残部６４ｃよりも隣接するジッパー・フィン３８ｂに向かって更に内方に突出する。凹部６４ｂは、肩部６０における内端部６４の残部６４ｃよりも更にジッパー・フィン３８ｂから離れるように突出する。
【００１８】
肩部５８における内端部６２の非平面部分６２ａ―ｂは、肩部６０における内端部６４の非平面部分６４ａ―ｂと相補的である。それ故、凸部６２ａは凹部６４ｂと向かい合い、また凹部６２ｂは凸部６４ａと向かい合う。
【００１９】
非平面部分６２ａ―ｂ、６４ａ―ｂは、ジッパー３２上のスライダ３０の保持力を効果的に増加させて、スライダ３０をジッパー３２から取り外すのを困難にする。図４及び図６に示すように、肩部５８，６０はジッパー・プロファイル３６ａ、３８ａの下に位置し、ジッパー・フィン３６ｂ、３８ｂ及びバック・パネル３４ａ、３４ｂの上部は、肩部５８，６０間に捕らえられている。図７に最も良く示すように、内方に延びる肩部５８，６０間の間隙Ｄ1は、相互係止プロファイル３６ａ、３８ａ間の距離Ｄ2よりも短い。非平面部分６２ａ―ｂ、６４ａ―ｂは、ジッパー・フィン３６ｂ、３８ｂ及びバック・パネル３４ａ、３４ｂの上部によって追従されなければならない、間隙Ｄ1を通してＳ形状の曲がりくねった通路を形成する。凸部６２ａ、６４ａは、好ましくは、スライダー３０を半分に分割する、長さ方向の中間面Ｍ越えて延びる。前述のスライダー構造は、スライダー３０が、丁度よく収まり、ジッパー３２から抜け出るのが困難になるようにする、基本的にゼロ・ギャップ部品として機能するのを許容する。上述した曲がりくねった通路がただ一つの凸部（部分６２ａ又は６４ａに類似している）又は一つ以上の凸部によって創作されることを意図している。
【００２０】
スライダの留め力（ｒｅｔｅｎｔｉｏｎ）テストにおいて、スライダ３０はジッパー３２から離れることなく少なくとも１０秒間に少なくとも１５ポンド（６．８２Ｋｇ）の引張力に容易に耐えることがわかった。引張力が２５ポンド（１１．３６Ｋｇ）、即ちスライダ３０がジッパー３２から離れるポイント、以上に到達するまでスライダの留め力（ｒｅｔｅｎｔｉｏｎ）テストにおける失敗はなかった。
【００２１】
ジッパー３２上のスライダ３０の強い留め力に加えて、スライダ３０は図４に示す如く一度ジッパー３２上に装着されたら容易には取り外せない。装着されたスライダ３０を取り外すのを困難にするには、好ましくは、スライダ３２の脚部４６、４８及び羽根部５０、５２は図４及び図５に示す如くリブ状にされる。脚部４６は複数の隣接した垂直方向補強リブ６６を形成し、他方脚部４８は複数の隣接した垂直方向補強リブ６８（図５中、隠れている）を形成する。リブ６６、６８は通常は断面において半円形であり、かつ個々の脚部の上端部から下端部へ伸びている。上記スライダの構成により、スライダの側壁４２、４４が曲がるのを最小とし、かつ羽根部５０、５２が個々の脚部４６，４８から係止解除されるのに必要な開口力が増大する。
【００２２】
本発明は一つ又はそれ以上の具体例に関して記述されたが、当業者であれば、本発明の精神及び範囲から逸脱することなく多くの変更が可能である。それらの具体例及びそれらの自明の変形例の各々は請求の範囲に記載された発明の精神及び範囲に含まれるものである。
【図面の簡単な説明】
【図１】  図１は、繰り返し閉じることのできるバッグのジッパーに装架された、従来技術のプラスチック製のスライダを等角図法で示したものである。
【図２】  図２は、図１のスライダの底面図であり、ジッパーの相互係止プロファイルと係合しているスライダの肩部を示している。
【図３】  図３は、本発明を具現化したスライダを等角図法で表したものであり、繰り返し閉じることのできるバッグのジッパーに装架される前のスライダを示す。
【図４】  図４は、ジッパーに装架された後のスライダを等角図法で示したものである。
【図５】  図５は、スライダの側面図である。
【図６】  図６は、図５における線６−６にほぼ沿って見た断面図である。
【図７】  図７は、図５における線７−７にほぼ沿って見た断面図である。
舵取りハンドル用エアバッグに関する本発明の第一の実施の形態の図である。
【図１】
0004371574.tif 000002
【図２】
0004371574.tif 000003
【図６】
0004371574.tif 000004
【図３】
0004371574.tif 000005
【図４】
0004371574.tif 000006
【図５】
0004371574.tif 000007
【図７】
0004371574.tif 000008